(57)【要約】【課題】機器の使用者にとって見やすくて分かりやすく、且つできるだけ多くの情報を表示できるＧＵＩを実現する。【解決手段】画面表示内容選択装置７０１において、画面表示装置判別装置２０４が入手したプロパティ情報に基づき、表示コンテンツ受信装置２０９で受信した表示コンテンツのうち画面表示装置２０２に表示すべき表示コンテンツを選択し、画面表示装置２０２に最適なレイアウトで配置されるように、画面表示用ＧＵＩ画面データ２０６を生成する。【選択図】図７
2007114402.tif 000002
【特許請求の範囲】
【請求項１】
コンテンツを表示するためのＧＵＩ表示部品を画面表示装置に表示する表示処理装置であって、
前記コンテンツを受信する表示コンテンツ受信装置と、
前記画面表示装置の表示仕様を示すプロパティ情報と前記コンテンツとの対応関係が複数記載された画面表示コンテンツ情報テーブルを受信する画面表示コンテンツ情報受信装置と、
前記画面表示装置のプロパティ情報が格納された画面表示装置情報テーブルと、
前記画面表示装置情報テーブルから前記プロパティ情報を読み出して前記画面表示装置の表示仕様を判別する画面表示装置判別装置と、
前記ＧＵＩ表示部品が格納された表示部品蓄積部と、
前記画面表示装置判別装置の判別結果と前記画面表示コンテンツ情報テーブルに記載された情報とに基づいて、前記表示コンテンツ受信装置で受信した前記コンテンツのうち前記画面表示装置に表示すべきコンテンツを特定し、前記表示部品蓄積部から該特定したコンテンツに対応するＧＵＩ表示部品を抽出し、該抽出したデータに基づいて前記画面表示装置に表示するための画面表示用ＧＵＩ画面データを生成する画面表示内容設定装置と、
前記画面表示用ＧＵＩ画面データを前記画面表示装置に出力する画面表示内容出力装置とを備えたことを特徴とする表示処理装置。
【請求項２】
コンテンツを表示するためのＧＵＩ表示部品を画面表示装置に表示する表示処理装置であって、
前記コンテンツを受信する表示コンテンツ受信装置と、
前記画面表示装置の表示仕様を示すプロパティ情報が格納された画面表示装置情報テーブルと、
前記画面表示装置情報テーブルから前記プロパティ情報を読み出して前記画面表示装置の表示仕様を判別する画面表示装置判別装置と、
前記ＧＵＩ表示部品が格納された表示部品蓄積部と、
前記画面表示装置判別装置の判別結果に基づいて、前記表示コンテンツ受信装置で受信した前記コンテンツのうち前記画面表示装置に表示すべき前記コンテンツを選択し、前記表示部品蓄積部から該選択したコンテンツに対応するＧＵＩ表示部品を選択し、該選択したデータに基づいて前記画面表示装置に表示するための前記画面表示用ＧＵＩ画面データを生成する画面表示内容選択装置と、
前記画面表示用ＧＵＩ画面データを前記画面表示装置に出力する画面表示内容出力装置とを備えたことを特徴とする表示処理装置。
【請求項３】
請求項２の表示処理装置において、
前記画面表示装置に表示される複数のＧＵＩ表示部品のうち１つを選択的に指定するフォーカスカーソルの指定位置を切り替えるフォーカス切替装置をさらに備え、
前記画面表示内容選択装置は、
前記画面表示装置の描画領域内に前記複数のＧＵＩ表示部品が一覧表示できない場合に、該複数のＧＵＩ表示部品の一部をアイコン表示する機能と、
前記フォーカス切替装置により前記フォーカスカーソルが前記アイコン表示のＧＵＩ表示部品を指定した場合、該指定されたアイコン表示のＧＵＩ表示部品を表示コンテンツを含むＧＵＩ表示部品に表示変更するとともに、該フォーカスカーソルの指定位置切り替え前に表示されていた前記複数のＧＵＩ表示部品の一部をアイコン表示する機能とをさらに有していることを特徴とする表示処理装置。
【請求項４】
請求項２の表示処理装置において、
ユーザーの操作に基づいてアスペクト比を変更し、該変更後のアスペクト比を前記画像表示装置情報テーブルに送信する一方、前記画面表示内容選択装置に送信するアスペクト比切替装置をさらに備え、
前記画面表示内容選択装置は、前記変更後のアスペクト比に基づいて、前記画面表示用ＧＵＩ画面データを再度生成し直す機能をさらに有していることを特徴とする表示処理装置。
【請求項５】
コンテンツを表示するためのＧＵＩ表示部品を画面表示装置に表示する表示処理装置であって、
前記画面表示装置と、該画面表示装置の表示仕様を示すプロパティ情報が格納された第１の画面表示装置情報テーブルとを有する表示装置と、
前記コンテンツを前記画面表示装置に表示するための画面表示用ＧＵＩ画面データを生成する録画再生装置とを備え、
前記録画再生装置は、
前記コンテンツを受信する表示コンテンツ受信装置と、
前記第１の画面表示装置情報テーブルから前記プロパティ情報を読み出してコピーする画面表示装置情報取得装置と、
前記コピーしたプロパティ情報を格納する第２の画面表示装置情報テーブルと、
前記第２の画面表示装置情報テーブルから前記プロパティ情報を読み出して前記画面表示装置の表示仕様を判別する画面表示装置判別装置と、
前記ＧＵＩ表示部品が格納された表示部品蓄積部と、
前記画面表示装置判別装置の判別結果に基づいて、前記表示コンテンツ受信装置で受信した前記コンテンツのうち前記画面表示装置に表示すべき前記コンテンツを選択し、前記表示部品蓄積部から該選択したコンテンツに対応するＧＵＩ表示部品を選択し、該選択したデータに基づいて前記画面表示装置に表示するための前記画面表示用ＧＵＩ画面データを生成する画面表示内容選択装置と、
前記画面表示用ＧＵＩ画面データを前記画面表示装置に出力する画面表示内容出力装置とを有することを特徴とする表示処理装置。
【請求項６】
請求項２の表示処理装置において、
前記画面表示装置判別装置の代わりに、前記画面表示装置情報テーブルから画面サイズを取得するＧＵＩ描画領域取得装置を備え、
前記画面表示内容選択装置は、前記画面サイズを示す情報に基づいて、前記画面表示装置の画面サイズ全体に前記ＧＵＩ表示部品を表示するための前記画面表示用ＧＵＩ画面データを生成する機能をさらに有していることを特徴とする表示処理装置。
【請求項７】
コンテンツを表示するためのＧＵＩ表示部品を画面表示模擬装置に表示する表示処理装置であって、
前記画面表示模擬装置の表示仕様を示すプロパティ情報が格納された画面表示装置情報テーブルと、
前記画面表示装置情報テーブルから読み出した前記画面表示模擬装置の表示仕様に基づいて、前記画面表示模擬装置の描画領域枠の大きさを変更する画面サイズ変更装置とを備えたことを特徴とする表示処理装置。
【発明の詳細な説明】
【技術分野】
【０００１】
本発明は、ＴＶモニタ等の画面表示装置にＧＵＩ（Graphical User Interface）を表示する機器において、特に、使用者にとって見やすくて分かりやすく、且つできるだけ多くの情報を表示することが可能なＧＵＩを実現する表示処理装置に関するものである。
【背景技術】
【０００２】
近年、パソコンだけでなく、テレビ等のＡＶ機器や携帯電話、カーナビゲーションシステム等においてもＧＵＩを表示する機能が搭載されており、画面上に表示されたグラフィックスを用いて機器の使用者からの情報入力や使用者への情報表示を行うことができるようになっている。
【０００３】
しかし、従来、ＴＶ画面を代表とする画面表示装置にＧＵＩを表示する場合には、画面表示装置の画面サイズやアスペクト比や解像度などによらず、同じＧＵＩ画面を拡大又は縮小して表示していた。
【０００４】
そのために、例えば、「画面サイズが小さく、アスペクト比が４：３」などの場合には、画面に表示された文字や絵などの表示情報が小さすぎて見にくいという問題があった。また、例えば「画面が大きく、アスペクト比が１６：９」などの場合には、画面に表示された文字や絵が大きすぎて見にくく、情報量が少ないという問題があった。
【０００５】
これに対して、特許文献１には、複数の画面表示部品を持つ画面の解像度や画面サイズの変更があったときに、画面の設計変更を自動的且つ適正に行う技術が開示されている。
【０００６】
具体的には、画面の解像度やサイズが変更された場合、表示されている個々のＧＵＩ部品のサイズを適正に変更し、拡大メリットの大きい部品を優先的に大きくするなどの表示を行うことができる、と記載されている。これにより、必要に応じてＧＵＩ部品の中に含まれる同一の部品（リストの項目など）を増減させることが可能となっていた。
【特許文献１】特開平７−２４４５６８号公報
【発明の開示】
【発明が解決しようとする課題】
【０００７】
しかしながら、従来の技術では、種類の違うＧＵＩ部品を増やしたり、減らしたりすることができないという課題があった。また、パソコン上で動作する画面表示模擬装置を使ってＧＵＩ表示の検証を行う場合、画面サイズやアスペクト比や解像度に応じて画面表示模擬装置の大きさを自動的に変更することができないという課題があった。
【０００８】
本発明は、かかる点に鑑みてなされたものであり、その目的とするところは、機器の使用者にとって見やすくて分かりやすく、且つできるだけ多くの情報を表示できるＧＵＩを実現することにある。
【課題を解決するための手段】
【０００９】
すなわち、本発明では、コンテンツを表示するためのＧＵＩ表示部品を含む画面表示用ＧＵＩ画面データを画面表示装置に表示する表示処理装置であって、
前記コンテンツを受信する表示コンテンツ受信装置と、
前記画面表示装置の表示仕様を示すプロパティ情報と前記コンテンツとの対応関係が記載された画面表示コンテンツ情報テーブルを受信する画面表示コンテンツ情報受信装置と、
前記画面表示装置のプロパティ情報が格納された画面表示装置情報テーブルと、
前記画面表示装置情報テーブルから前記プロパティ情報を読み出して前記画面表示装置の表示仕様を判別する画面表示装置判別装置と、
前記ＧＵＩ表示部品が格納された表示部品蓄積部と、
前記画面表示装置判別装置の判別結果と前記画面表示コンテンツ情報テーブルに記載された情報とに基づいて前記画面表示装置に表示すべき前記コンテンツを特定し、該特定したコンテンツを前記表示コンテンツ受信装置から抽出する一方、前記表示部品蓄積部から該コンテンツに対応するＧＵＩ表示部品を抽出し、該抽出したデータに基づいて前記画面表示装置に表示するための前記画面表示用ＧＵＩ画面データを生成する画面表示内容設定装置と、
前記画面表示用ＧＵＩ画面データを前記画面表示装置に出力する画面表示内容出力装置とを備えたことを特徴とするものである。
【発明の効果】
【００１０】
以上のように、本発明によれば、画面表示装置の画面サイズ、アスペクト比、及び解像度に応じて、画面表示装置に表示するための異なった属性を持つＧＵＩ表示部品を自動的に選択（ＧＵＩ表示部品の取捨選択）し、描画領域が大きい場合には多くのＧＵＩ表示部品を表示し、描画領域が小さい場合には少ないＧＵＩ表示部品を表示することで、使用者にとって見やすくて分かりやすく、且つできるだけ多くの情報を表示できるＧＵＩを実現することが可能である。
【００１１】
なお、ここで、異なった属性を持つＧＵＩ表示部品とは、具体的には、ボタンや、文字を表示するためのテキスト、同じ項目を複数並べるリスト、映像や絵を表示するための描画領域、ＥＰＧ（電子プログラムガイド）など、表示内容や目的の異なるＧＵＩ表示部品のことである。
【００１２】
さらに、画面表示模擬装置を使ってＧＵＩ表示の検証を行う場合、画面サイズ、アスペクト比、及び解像度に応じて、画面表示模擬装置の大きさを自動的に変更するため、効率的で正確な検証を行うことが可能である。
【発明を実施するための最良の形態】
【００１３】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００１４】
＜実施形態１＞
図１は、本発明の実施形態１において放送局が送信する画面表示装置別の表示コンテンツ情報の配信例を示す図である。なお、画面表示装置別の表示コンテンツ情報は、放送局の代わりに、ＤＶＤなどのメディアやＨＤＤ、インターネット等、ＧＵＩを表示するためのコンテンツを含む媒体から配信されるものであっても構わない。
【００１５】
図１に示すように、表示処理装置１００には、放送局１０１から複数のコンテンツＡ，Ｂ，・・・が送信されるとともに、ＴＶモニタ等の形、大きさ、アスペクト比、及び対応する表示コンテンツ名が記載された画面表示コンテンツ情報テーブル１０３が送信されている。
【００１６】
図２は、本発明の実施形態１に係る表示処理装置の構成を示すブロック図である。図２に示すように、放送局１０１から送信された前記コンテンツは、表示処理装置１００内の表示コンテンツ受信装置２０９で受信され、前記画面表示コンテンツ情報テーブル１０３は画面表示コンテンツ情報受信装置２１０で受信される。
【００１７】
また、前記表示処理装置１００は、ＴＶモニタ等の画面表示装置２０２のプロパティ情報が格納された画面表示装置情報テーブル２０１を持っている。具体的には、画面のインチ数や画面の幅×高さ等を示す画面サイズ、画素情報、アスペクト比などである。
【００１８】
前記画面表示装置情報テーブル２０１に格納されるデータは、画面サイズなど画面表示装置２０２の仕様により決定されるデータの他にも、アスペクト比など後から変更可能なデータが格納されている。具体的には、ユーザーがリモコンや機器の操作パネル等の入力装置であるアスペクト比切替装置２０３の操作ボタンを操作することによりアスペクト比が変更され、その変更情報が画面表示装置情報テーブル２０１に格納されるようになっている。
【００１９】
前記画面表示装置情報テーブル２０１に格納されたデータは、画面表示装置判別装置２０４に送信され、該画面表示装置判別装置２０４において前記画面表示装置２０２のプロパティ情報が入手される。
【００２０】
前記画面表示装置判別装置２０４が入手したプロパティ情報は、画面表示内容設定装置２０８に送信される。
【００２１】
前記画面表示内容設定装置２０８は、画面表示装置２０２のプロパティ情報である画面表示装置情報テーブル２０１に基づいて、前記画面表示コンテンツ情報受信装置２１０が受信した画面表示コンテンツ情報テーブル１０３の中から前記画面表示装置情報テーブル２０１に記載された表示コンテンツ（表示すべきコンテンツ）のリストを入手し、さらに、この表示すべき表示コンテンツを表示コンテンツ受信装置２０９から入手する。
【００２２】
具体的に、図１及び図２に示す例では、画面表示装置情報テーブル２０１に記載された情報はＴＶの大きさが３２型、アスペクト比が１６：９であるため、これに対応した画面表示装置情報テーブル２０１に記載された表示コンテンツはＡ，Ｂ，Ｄ，Ｅ，Ｆとなる。
【００２３】
さらに、前記画面表示内容設定装置２０８は、前記コンテンツを表示するために使用するwidgetなどのＧＵＩ部品を、様々なＧＵＩ部品の描画オブジェクトを格納している表示部品蓄積部２０７から入手し、画面表示装置２０２に表示する画面表示用ＧＵＩ画面データ２０６を生成する。
【００２４】
ここで、前記表示部品蓄積部２０７は、widgetなどのＧＵＩ部品の雛形が蓄積されているデータベースである。実際にＧＵＩ部品を画面上に表示するために、別途プロパティ（ＧＵＩ部品のサイズ、部品上に表示する文字、色など）を指定して、画面に表示するためのＧＵＩ部品を生成する必要がある。具体的には、ＧＵＩ部品の描画関数を定義しておき、別途設定したプロパティに基づいてＧＵＩ部品が描画できるようにしている。
【００２５】
そして、前記画面表示内容設定装置２０８で生成された画面表示用ＧＵＩ画面データ２０６は、画面表示内容出力装置２０５を介して画面表示装置２０２に出力される。
【００２６】
次に、画面表示装置２０２に出力されるＧＵＩ画面イメージの具体例について説明する。図３は、５１型以上の大きさでアスペクト比１６：９のワイドＴＶに出力されたＧＵＩ画面イメージを示す図である。この場合には、画面表示コンテンツ情報テーブル１０３に記載された情報に基づき、コンテンツＡ，Ｂ，Ｃ，Ｄ，Ｅ，Ｆ，Ｇが表示される。
【００２７】
図４は、５１型以上の大きさでアスペクト比４：３のワイドＴＶに出力されたＧＵＩ画面イメージを示す図である。この場合には、画面表示コンテンツ情報テーブル１０３に記載された情報に基づき、コンテンツＡ，Ｂ，Ｃ，Ｄ，Ｅ，Ｆが表示される。
【００２８】
図５は、２１型〜３５型の大きさでアスペクト比１６：９のワイドＴＶに出力されたＧＵＩ画面イメージを示す図である。この場合には、画面表示コンテンツ情報テーブル１０３に記載された情報に基づき、コンテンツＡ，Ｂ，Ｄ，Ｅ，Ｆが表示される。
【００２９】
図６は、２１型〜３５型の大きさでアスペクト比４：３のワイドＴＶに出力されたＧＵＩ画面イメージを示す図である。この場合には、画面表示コンテンツ情報テーブル１０３に記載された情報に基づき、コンテンツＡ，Ｂ，Ｄ，Ｆが表示される。
【００３０】
以上のように、本実施形態１に係る表示処理装置によれば、ＴＶ画面の大きさやアスペクト比に合わせてＧＵＩ部品を選択（表示部品の取捨選択）し、描画領域が大きいときには多くのＧＵＩ部品を表示するようにし、描画領域が小さいときには少ないＧＵＩ部品を表示することで、ユーザーにとって見やすく、且つＴＶ画面の大きさやアスペクト比などに適合するできるだけ多くの情報を表示することができる。
【００３１】
なお、本実施形態１では、ＴＶ画面の大きさやアスペクト比に基づいてコンテンツを増減するようにしたが、この形態に限定するものではなく、例えば、解像度（画素数）によっても見やすさは変わってくるため、画素情報によって表示するコンテンツを増減することでも同様の効果が得られる。
【００３２】
＜実施形態２＞
図７は、本発明の実施形態２に係る表示処理装置の構成を示すブロック図である。前記実施形態１との違いは、表示コンテンツ受信装置２０９で受信した表示コンテンツのうち画面表示装置２０２に表示すべき表示コンテンツを選択する画面表示内容選択装置７０１を備えた点であるため、以下、実施形態１と同じ部分については同じ符号を付し、相違点についてのみ説明する。
【００３３】
また、前記実施形態１において説明した放送局１０１から送信される画面表示コンテンツ情報テーブル１０３は、本実施形態２では不要であるため、本実施形態２に係る表示処理装置７００では、画面表示コンテンツ情報テーブル１０３を受信する画面表示コンテンツ情報受信装置２１０を有していないものとする。
【００３４】
前記画面表示内容選択装置７０１は、画面表示装置判別装置２０４が入手したプロパティ情報に基づき、表示コンテンツ受信装置２０９で受信した表示コンテンツのうち画面表示装置２０２に表示すべき表示コンテンツを選択するものである。
【００３５】
さらに、前記画面表示内容選択装置７０１では、画面表示装置２０２に最適なレイアウトで配置されるように、画面表示用ＧＵＩ画面データ２０６が生成される。
【００３６】
ここで、表示コンテンツを選択する方法として、表示コンテンツに優先度を付けておき、その優先度に従って、画面表示装置２０２の描画領域に描画できる表示コンテンツを順番に配置していくことが考えられる。この場合には、まず、コンテンツを表示するＧＵＩ表示部品の最小の状態をＧＵＩ設計者が事前に定義しておく。
【００３７】
前記表示部品蓄積部２０７に格納されたＧＵＩ部品の最小の大きさを定義する際には、画面表示装置情報テーブル２０１に対応した組み合わせ分だけ用意しておく必要がある。具体的には、画面サイズが２１〜３５型のワイド画面で画素数（解像度）がＨＤＴＶでアスペクト比が１６：９の場合には、映像を表示するためのＧＵＩ部品のサイズは最小で２００pixel×１５０pixelであり、３６〜５０型のワイド画面で画素数がＨＤＴＶでアスペクト比が１６：９の場合には、映像を表示するためのＧＵＩ部品のサイズは最小で１６０pixel×１２０pixelであるというように、各ＧＵＩ部品の最小サイズを定義しておく。
【００３８】
そして、前記描画領域に描画できる前記ＧＵＩ表示部品を決定する。例えば、ＧＵＩ部品を最小の大きさで表示画面内にできるだけ配置するようにする。その後、ＧＵＩ部品を配置した表示画面上に隙間が空いている場合等に、必要に応じてＧＵＩ表示部品を拡大する等して、描画領域全体にＧＵＩ表示部品を表示する。
【００３９】
なお、ＧＵＩ表示部品を拡大する際には、各ＧＵＩ部品を等倍率で拡大する方法や、拡大する優先度をつけておく方法が考えられる。また、ＧＵＩ部品の最大サイズを定義しておくことで不要に大きなＧＵＩ部品が生成されないようにすることもできる。また、拡大すべき方向や拡大してはいけない方向なども定義できるようにしておくとよい。
【００４０】
また、表示コンテンツに配置の属性をつけて、そのコンテンツを表示するＧＵＩ表示部品の上下にはＧＵＩ表示部品を配置しない等のより細かなＧＵＩ表示部品の配置決定を行うこともできる。具体的には、表示部品蓄積部２０７に格納されたＧＵＩ部品（雛形）のそれぞれに、そのＧＵＩ部品の上下左右などに他のＧＵＩ部品を配置可能かどうかを示すプロパティを設定しておき、配置可能でなければその方向にＧＵＩ部品を配置しないようにする等により、ＧＵＩ表示部品の配置決定を行うことができる。
【００４１】
次に、本実施形態２における画面表示装置２０２に出力される画面イメージの具体例について説明する。なお、画面イメージは、最終的に前記実施形態１において説明した図３〜図６と同様のレイアウトとなるため、以下、図３〜図６を用いて説明する。
【００４２】
図３は、５１型以上の大きさでアスペクト比１６：９のワイドＴＶのＧＵＩ画面イメージである。表示コンテンツ受信装置２０９から入手した表示コンテンツの表示優先度は高いものから順にＡ、Ｂ、Ｄ、Ｆ、Ｅ、Ｃ、Ｇであるとする。また、表示する順番はＡ、Ｂ、Ｃ、Ｄ、Ｅ、Ｆ、Ｇとする。
【００４３】
まず最初に、コンテンツを表示するためのＧＵＩ部品の最小値（画面表示装置情報テーブル２０１の情報から、それに対応する表示部品蓄積部２０７に格納されたＧＵＩ部品の最小の大きさが決定される）に基づいて、配置可能な表示コンテンツを選び出す。この例では、全てのコンテンツを表示できている。
【００４４】
そして、配置した後に、ＧＵＩ部品間の隙間を埋めるように、各ＧＵＩ部品を拡大することで、図３に示すＧＵＩ画面イメージが生成される。
【００４５】
図４は、５１型以上の大きさでアスペクト比４：３のワイドＴＶのＧＵＩ画面イメージである。表示コンテンツ受信装置２０９から入手した表示コンテンツの表示優先度は高いものから順にＡ、Ｂ、Ｄ、Ｆ、Ｅ、Ｃ、Ｇであるとする。また、表示する順番はＡ、Ｂ、Ｃ、Ｄ、Ｅ、Ｆ、Ｇとする。
【００４６】
まず最初に、コンテンツを表示するためのＧＵＩ部品の最小値に基づいて、配置可能な表示コンテンツを選び出す。この例では、Ｇ以外の表示コンテンツを配置できている。
【００４７】
そして、配置した後に、ＧＵＩ部品間の隙間を埋めるように、各ＧＵＩ部品を拡大することで、図４に示すＧＵＩ画面イメージが生成される。
【００４８】
同様に、図５では表示コンテンツＡ、Ｂ、Ｄ、Ｅ、Ｆを、図６では表示コンテンツＡ、Ｂ、Ｄ、Ｆを配置し、各ＧＵＩ部品を拡大することで、図５及び図６にそれぞれ示すＧＵＩ画面イメージが生成される。
【００４９】
＜実施形態３＞
図８は、本発明の実施形態３に係る表示処理装置の構成を示すブロック図である。前記実施形態１との違いは、選択するＧＵＩ表示部品をフォーカスカーソルの移動により切り替えるフォーカス切替装置８０１を追加した点であるため、以下、実施形態１と同じ部分については同じ符号を付し、相違点についてのみ説明する。
【００５０】
前記実施形態１，２では、表示するための表示コンテンツがあったとしても、描画領域の制約から、対応するＧＵＩ表示部品を取捨選択して、画面表示装置２０２に一部のＧＵＩ表示部品のみを表示していた。つまり、描画領域が十分大きい場合には全てのＧＵＩ表示部品が表示できる場合もあるが、描画領域が小さい場合には一部のＧＵＩ表示部品のみが表示されていた。
【００５１】
それに対し、本実施形態３では、図９に示すように、描画領域の制約から表示できないＧＵＩ表示部品をアイコン表示することで、機器の使用者が参照できる表示コンテンツを、画面表示装置２０２上に全てを表示するようにした。以下、本実施形態３の特徴部分について説明する。
【００５２】
図８に示す表示処理装置８００の画面表示内容選択装置８０２は、前記コンテンツを表示するためのＧＵＩ部品を表示部品蓄積部２０７から入手し、画面表示装置２０２に表示する画面表示用ＧＵＩ画面データ２０６を生成するものであり、さらに、通常のサイズで表示できないＧＵＩ部品をアイコン化し、画面の端に表示するようにＧＵＩ部品を配置し、画面イメージ９０１を設定する機能を有している。
【００５３】
ここで、アイコン化したＧＵＩ部品を表示するスペースが画面上に確保できない場合（アイコンが画面からはみ出してしまう場合）には、通常のサイズで表示されているＧＵＩ部品の大きさを小さくするか、新たに一部のＧＵＩ部品をアイコン化する等して、全てのＧＵＩ部品及びアイコンを画面上に表示するようにしている（図９参照）。
【００５４】
また、図１０に示すように、リモコンや機器の操作パネル等のフォーカス切替装置８０１により、機器の使用者が画面上で選択しているＧＵＩ表示部品にオーバーラップして表示されるフォーカスカーソルを移動させ、アイコン表示されたＧＵＩ表示部品が選択されると、画面表示内容選択装置８０２がアイコン表示されたＧＵＩ表示部品を表示コンテンツを含むＧＵＩ表示部品に変更（必要に応じて隣接する表示アイコンも、表示コンテンツを含むＧＵＩ表示部品に変更）し、フォーカスカーソルが移動する前に表示されていた一部のＧＵＩ表示部品がアイコン表示される。
【００５５】
以上のように、本実施形態３に係る表示処理装置によれば、全ての表示コンテンツを、表示コンテンツを含むＧＵＩ表示部品又はアイコンの形で画面表示装置２０２に表示することができ、且つフォーカスカーソルで選択した部分の表示コンテンツ（必要に応じて隣接する表示コンテンツも含む）を機器の使用者に対して表示することで、使用者は全てのコンテンツを参照することができるようになる。
【００５６】
このように、前記実施形態１及び２では、優先度の低いＧＵＩ部品は表示されず、コンテンツの存在すら分からない状態であったが、本実施形態３に係る表示処理装置では、フォーカスから離れた部分をアイコン化し、必要に応じてフォーカスを移動させることで全てのＧＵＩ部品を表示できるから、使用者の利便性が向上する。
【００５７】
＜実施形態４＞
図１１は、本発明の実施形態４に係る表示処理装置の構成を示すブロック図である。前記実施形態１との違いは、画面表示内容設定装置２０８の代わりに画面表示内容選択／変更装置１１０１を備えた点であるため、以下、実施形態１と同じ部分については同じ符号を付し、相違点についてのみ説明する。
【００５８】
前記実施形態１〜３では、アスペクト比が切り替えられた場合には、画面のサイズ、アスペクト比、画素数に応じて表示画面の拡大／縮小が行われるようになっている。しかしながら、画面に表示された文字や映像などはいびつになってしまうことがあり、また、単純な拡大／縮小を行うためにＧＵＩ部品を増減させることもできなかった。
【００５９】
それに対し、本実施形態４では、従来のような単純な拡大／縮小ではなく、アスペクト比に適した画面表示を行うようにした。以下、本実施形態４の特徴部分について説明する。
【００６０】
図１１に示すように、表示処理装置１１００において、ユーザーがアスペクト比切替装置２０３によりアスペクト比を変更した場合、その変更情報は、画面表示装置情報テーブル２０１に送信されるとともに、前記画面表示内容選択／変更装置１１０１にも送信されるようになっている。
【００６１】
前記画面表示内容選択／変更装置１１０１は、画面表示装置判別装置２０４が入手したプロパティ情報に基づき、表示コンテンツ受信装置２０９で受信した表示コンテンツのうち画面表示装置２０２に表示すべき表示コンテンツを選択して、画面表示装置２０２に最適なレイアウトで配置されるように、画面表示用ＧＵＩ画面データ２０６を生成する一方、アスペクト比切替装置２０３によるアスペクト比の変更があった場合には、アスペクト比に応じた画面表示を行うべく、画面表示用ＧＵＩ画面データ２０６を再度生成し直すようになっている。
【００６２】
以上のように、本実施形態４に係る表示処理装置によれば、アスペクト比が変更された場合でも、そのアスペクト比に最適な画面表示用ＧＵＩ画面データ２０６を再生成することで、機器の使用者にとって見やすくて分かりやすく、且つできるだけ多くの情報を表示できるＧＵＩを実現することが可能である。
【００６３】
＜実施形態５＞
図１２は、本発明の実施形態５において放送局が送信する表示コンテンツ情報の配信例を示す図である。前記実施形態２との違いは、ＴＶ等の表示装置１２１０が直接コンテンツを受信するのではなく、ビデオやＤＶＤ／ＨＤＤレコーダー等の録画再生装置１２２０がコンテンツを受信し、受信したコンテンツを表示装置１２１０に画面表示用ＧＵＩ画面データ２０６を表示するようにした点であるため、以下、実施形態２と同じ部分については同じ符号を付し、相違点についてのみ説明する。
【００６４】
なお、表示コンテンツ情報は、放送局１０１の代わりに、ＤＶＤなどのメディアやＨＤＤ、インターネット等、ＧＵＩを表示するためのコンテンツを含む媒体から配信されるものであっても構わない。
【００６５】
図１３は、本発明の実施形態５に係る表示処理装置の構成を示すブロック図である。図１３に示すように、表示処理装置１２００は、ＴＶ等のモニタ画面を有する表示装置１２１０と、該表示装置１２１０に接続されたビデオやＤＶＤ／ＨＤＤレコーダー等の録画再生装置１２２０とを備えている。
【００６６】
前記表示装置１２１０は、画面表示装置情報テーブル２０１、画面表示装置２０２、及びアスペクト比切替装置２０３を備えている。
【００６７】
また、前記録画再生装置１２２０は、画面表示装置判別装置２０４、画面表示内容出力装置２０５、表示部品蓄積部２０７、表示コンテンツ受信装置２０９、画面表示内容選択装置７０１、画面表示装置情報取得装置１３０１、及び画面表示装置情報テーブル１３０２を備えている。
【００６８】
ここで、前記録画再生装置１２２０において、画面表示用ＧＵＩ画面データ２０６を生成するためには、表示装置１２１０における画面表示装置２０２の画面表示装置情報テーブル２０１が必要となる。
【００６９】
そこで、前記画面表示装置情報取得装置１３０１により、前記画面表示装置情報テーブル２０１を録画再生装置１２２０の画面表示装置情報テーブル１３０２にコピーする。コピーした画面表示装置情報テーブル１３０２は、画面表示装置判別装置２０４に送信され、該画面表示装置判別装置２０４において画面表示装置２０２のプロパティ情報が入手される。
【００７０】
前記画面表示内容選択装置７０１では、画面表示装置判別装置２０４が入手したプロパティ情報に基づき、表示コンテンツ受信装置２０９で受信した表示コンテンツのうち画面表示装置２０２に表示すべき表示コンテンツが選択される。
【００７１】
さらに、前記画面表示内容選択装置７０１では、画面表示装置２０２に最適なレイアウトで配置されるように、画面表示用ＧＵＩ画面データ２０６が生成される。
【００７２】
そして、前記画面表示内容選択装置７０１で生成された画面表示用ＧＵＩ画面データ２０６は、画面表示内容出力装置２０５を介して前記表示装置１２１０の画面表示装置２０２に出力される。
【００７３】
なお、前記画面表示装置情報テーブル１３０２を変更するタイミングは、表示装置１２１０と録画再生装置１２２０とが接続された時、表示装置１２１０又は録画再生装置１２２０を起動した時、又はリモコンや機器の操作パネル等の入力装置により機器の使用者がアスペクト比を切り替えた時などに行うことが好ましい。
【００７４】
以上のように、本実施形態５に係る表示処理装置によれば、表示処理装置の画面サイズ、画素情報、アスペクト比に合わせて録画再生装置の表示内容を最適に変更できるようにすることで、録画再生装置に接続した外部の表示装置の出力画面に対して、ユーザにとって見やすく且つＴＶ画面の大きさ、アスペクト比、解像度などに応じたできるだけ多くの情報を表示することができるようになる。
【００７５】
＜実施形態６＞
図１４は、本発明の実施形態６に係る表示処理装置の構成を示すブロック図である。前記実施形態２との違いは、画面表示装置判別装置２０４の代わりにＧＵＩ描画領域取得装置１４０１を設けた点であるため、以下、実施形態２と同じ部分については同じ符号を付し、相違点についてのみ説明する。
【００７６】
前記ＧＵＩ描画領域取得装置１４０１は、画面表示装置情報テーブル２０１から画面サイズを取得し、その画面サイズ情報を画面表示内容選択装置７０１に送信するものである。
【００７７】
前記画面表示内容選択装置７０１は、前記ＧＵＩ描画領域取得装置１４０１が入手した画面サイズ情報に基づき、表示コンテンツ受信装置２０９で受信した表示コンテンツのうち画面表示装置２０２に表示すべき表示コンテンツを選択する。
【００７８】
さらに、前記画面表示内容選択装置７０１では、画面表示装置２０２の現在のアスペクト比にかかわらず画面サイズ全体に表示されるような画面表示用ＧＵＩ画面データ２０６が生成される。
【００７９】
以上のように、本実施形態６に係る表示処理装置によれば、画面サイズ全体に画面表示用ＧＵＩ画面データ２０６を表示することで、例えば、１６：９のサイズの画面表示装置２０２にアスペクト比４：３の表示が行われていた場合でも、画面表示用ＧＵＩ画面データ２０６を表示するときには、１６：９の画面全体にＧＵＩを表示することで、機器の使用者にとって見やすくて分かりやすく、且つできるだけ多くの情報を表示できるＧＵＩを実現することが可能である。
【００８０】
＜実施形態７＞
図１５は、本実施形態７に係る表示処理装置の構成を示すブロック図である。図１５において、表示処理装置１５００は、具体的にはパソコンであり、パソコン上で動作する画面表示模擬装置（ＧＵＩシミュレータ）を使ってＧＵＩ表示の検証を行う場合について、以下、説明する。
【００８１】
図１５に示すように、表示処理装置１５００は、画面表示装置情報テーブル１５０１、画面表示装置情報切替装置１５０２、ＧＵＩシミュレータ画面サイズ変更装置１５０３、及びＧＵＩシミュレータ１５０４を備えている。
【００８２】
前記画面表示装置情報テーブル１５０１は、前記ＧＵＩシミュレータ１５０４のプロパティ情報が格納されたものである。具体的には、画面のインチ数や画面の幅×高さ等を示す画面サイズ、画素情報、アスペクト比などの情報が格納されている。
【００８３】
前記画面表示装置情報切替装置１５０２は、ユーザーがシミュレータ上のボタンを押す等の操作を行うことで擬似的に画面サイズ、アスペクト比、画素情報が変更した場合に、前記画面表示装置情報テーブル１５０１の情報を更新するものである。
【００８４】
前記ＧＵＩシミュレータ画面サイズ変更装置１５０３は、前記画面表示装置情報テーブル１５０１を参照して前記ＧＵＩシミュレータ１５０４のウインドウサイズを変更するものである。
【００８５】
前記ＧＵＩシミュレータ１５０４は、ＧＵＩを表示するためのウィンドウ画面である。
【００８６】
ここで、例えば、アスペクト比が１９：８から４：３に変更された場合には、前記画面表示装置情報切替装置１５０２によりその変更情報が前記画面表示装置情報テーブル１５０１に格納され、画面表示装置情報テーブル１５０１に基づいて、前記ＧＵＩシミュレータ画面サイズ変更装置１５０３が前記ＧＵＩシミュレータ１５０４のウィンドウサイズを１９：８から４：３の大きさになるようにリサイズするように制御される。
【００８７】
以上のように、本実施形態７に係る表示処理装置によれば、画面表示装置情報テーブル１５０１に応じて自動的にＧＵＩシミュレータ１５０４のウインドウのサイズが変更でき、画面サイズ、画素情報、アスペクト比などの画面表示装置情報テーブル１５０１が変更された場合のＧＵＩ表示の検証を効率的に行うことが可能となる。
【００８８】
なお、本発明の実施形態１〜７に係る表示処理装置では、ＴＶや録画再生装置を例示して説明したが、この形態に限定するものではなく、例えば、ＴＶや録画再生装置以外のＡＶ機器や携帯電話、カーナビゲーションシステム、パソコンのようなグラフィックを表示する機能を持つ入出力装置であっても構わない。
【産業上の利用可能性】
【００８９】
以上説明したように、本発明に係る表示処理装置は、機器の使用者にとって見やすく分かりやすく、且つできるだけ多くの情報を表示できるＧＵＩを実現できるという実用性の高い効果が得られることから、きわめて有用で産業上の利用可能性は高い。例えば、ＴＶや録画再生装置などのＡＶ機器や、携帯電話、カーナビゲーションシステム、パソコンのようなグラフィックを表示する機能を持つ入出力装置として利用可能である。
【図面の簡単な説明】
【００９０】
【図１】本発明の実施形態１における画面表示装置別の表示コンテンツ情報の配信例を示す図である。
【図２】本実施形態１に係る表示処理装置の構成を示すブロック図である。
【図３】本実施形態１における画面表示装置に出力されたアスペクト比１６：９の画面イメージの例を示す図である。
【図４】本実施形態１における画面表示装置に出力されたアスペクト比４：３の画面イメージの例を示す図である。
【図５】本実施形態１における画面表示装置に出力されたアスペクト比１６：９の画面イメージの他の例を示す図である。
【図６】本実施形態１における画面表示装置に出力されたアスペクト比４：３の画面イメージの他の例を示す図である。
【図７】本実施形態２に係る表示処理装置の構成を示すブロック図である。
【図８】本実施形態３に係る表示処理装置の構成を示すブロック図である。
【図９】本実施形態３における画面表示装置に出力された画面イメージの例を示す図である。
【図１０】本実施形態３における画面表示装置に出力された画面イメージの例を示す図である。
【図１１】本実施形態４に係る表示処理装置の構成を示すブロック図である。
【図１２】本実施形態５において放送局が送信する表示コンテンツ情報の配信例を示す図である。
【図１３】本実施形態５に係る表示処理装置及び録画再生装置の構成を示すブロック図である。
【図１４】本実施形態６に係る表示処理装置の構成を示すブロック図である。
【図１５】本実施形態７に係る表示処理装置の構成を示すブロック図である。
【符号の説明】
【００９１】
１００    表示処理装置
１０１    放送局
１０３    画面表示コンテンツ情報テーブル
２０１    画面表示装置情報テーブル
２０２    画面表示装置
２０３    アスペクト比切替装置
２０４    画面表示装置判別装置
２０５    画面表示内容出力装置
２０７    表示部品蓄積部
２０８    画面表示内容設定装置
２０９    表示コンテンツ受信装置
２１０    画面表示コンテンツ情報受信装置
７００    表示処理装置
７０１    画面表示内容選択装置
８００    表示処理装置
８０１    フォーカス切替装置
８０２    画面表示内容選択装置
１１００    表示処理装置
１１０１    画面表示内容選択／変更装置
１２００    表示処理装置
１２１０    表示装置
１２２０    録画再生装置
１３０１    画面表示装置情報取得装置
１３０２    画面表示装置情報テーブル
１４０１    ＧＵＩ描画領域取得装置
１５００    表示処理装置
１５０１    画面表示装置情報テーブル
１５０２    画面表示装置情報切替装置
１５０３    ＧＵＩシミュレータ画面サイズ変更装置
１５０４    ＧＵＩシミュレータ
【図１】
2007114402.tif 000003
【図２】
2007114402.tif 000004
【図３】
2007114402.tif 000005
【図４】
2007114402.tif 000006
【図５】
2007114402.tif 000007
【図６】
2007114402.tif 000008
【図７】
2007114402.tif 000009
【図８】
2007114402.tif 000010
【図９】
2007114402.tif 000011
【図１０】
2007114402.tif 000012
【図１１】
2007114402.tif 000013
【図１２】
2007114402.tif 000014
【図１３】
2007114402.tif 000015
【図１４】
2007114402.tif 000016
【図１５】
2007114402.tif 000017